(57)【特許請求の範囲】
【請求項１】
病室内に向けられるフィルタと、前記フィルタから前記病室内に風を吹き出させるための送風機とを有する送風ユニットであって、
前記フィルタと前記送風機との間から前記風の吹出し方向側に、該送風機からの空気及び前記病室内からの空気の流入を阻む隔壁で形成された吸音室を有することを特徴とする送風ユニット。
【請求項２】
請求項１記載の送風ユニットであって、
前記隔壁内部の前記吸音室に充填された吸音材を有することを特徴とする送風ユニット。
【請求項３】
病室内に面したフィルタと、前記フィルタから前記病室内に風を放出させるための送風機と、を有する無菌病室であって、
前記フィルタと前記送風機との間から前記風の吹出し方向側に、該送風機からの空気及び前記病室内からの空気の流入を阻む隔壁で形成された吸音室を有することを特徴とする無菌病室。
【請求項４】
請求項３記載の無菌病室であって、
前記隔壁内部の前記吸音室に充填された吸音材を有することを特徴とする無菌病室。
【発明の詳細な説明】
【０００１】
【発明の属する技術分野】
本発明は、医療用設備に係り、特に、患者の細菌感染防止等のために用いられる無菌室用設備に関する。
【０００２】
【従来の技術】
医療施設等では、免疫力の減退した患者等の治療に無菌病室が使用されている。この無菌病室とは、病室内の空気を清浄に保つことによって、病室内にいる患者の細菌感染等を防止するためのものである。
【０００３】
例えば、このような無菌病室の構成として、特開平９−２２２２４７号公報記載のものが知られている。以下、この公報記載の無菌病室(第一無菌病室と呼ぶ)の構成について説明する。
【０００４】
図７に示すように、周囲を壁で囲まれた病室内には、患者用ベッド７０１が、患者頭部７０１ａを壁際にして設置されている。そして、患者用ベッド７０１の片側には、アクリル板等のアクセスカーテン７０４が配置されている。このアクセスカーテン７０４には、医師等に使用されるアクセスグローブ(不図示)およびヘッドポート７０４ａが取り付けられている。医師等は、これらヘッドポート７０４等を使用することによって、アクセスカーテン７０４を挟んで、ベッド７０１上の患者に治療を施す。
【０００５】
また、医師等から見て、アクセスカーテン７０４の向こう側(アクセスカーテン７０８を境にして、患者用ベッド７０１側)には、患者頭部７０１ａ側の壁面に、ＨＥＰＡ(High Efficiency Particulate Air)フィルタ７０２ａ付きの空気吹出し口７０２が設けられている。
【０００６】
一方、室外には、病室から離れた位置に送風機７０３が設置されている。また、室外には、送風機７０３からの送風を空気吹出し口７０２に導くためのダクト７０５も設けられている。このように、病室から離れた位置に送風機７０３を設置し、それからの送風をダクト７０５によって室内まで導いているのは、騒音発生源となる送風機７０３を患者から遠ざけるためである。
【０００７】
このような構成により、送風機７０３から風が送られると、病室内には、空気吹出し口７０２から清浄空気(ＪＩＳ規格 Ｂ ９９２０による清浄度クラス分類では、クラス５の空気、アメリカのＦＥＤ.ＳＴ.２０９Ｅ規格の清浄度クラス分類には、クラス１００の空気に相当)が導入される。この清浄空気の導入によって、患者用ベッド側スペースが陽圧に維持されるため、外部から患者用ベッド側スペースへの汚染空気侵入を防止することができる。
【０００８】
これ以外の無菌病室の構成としては、例えば、図８に示したようなものが知られている。この無菌病室(第二無菌病室と呼ぶ)には、第一無菌病室と異なり、患者頭部７０１ａ側の壁に、送風ユニット８００が設けられている。この送風ユニット８００には、送風機８０１と、ＨＥＰＡフィルタ８０３ａ付の空気吹出し口８０３と、送風機８０１からの送風を空気吹出し口８０３に導くためのダクト８０２とが組み込まれている。そして、ダクト８０２内部には、二重の送風流路８０２ａ,８０２ｂが壁面に沿って層状に形成されている。このように、送風機８０１から空気吹出し口７０２までの送風流路を二重に形成しているのは、病室近くに設置された送風機８０１からの騒音Ａを空気吹出し口到達前に低減するためである。
【０００９】
【発明が解決しようとする課題】
ところが、従来の第一無菌病室は、病室自体の据付工事の他に、送風機７０３およびダクト７０５の据付工事を別途必要とする。このため、施工範囲が広くなる傾向にある。
【００１０】
これに対して、従来の第二無菌病室は、送風機８０１等が組み込まれた送風ユニット８００を壁の外側面に設置するだけで足りる。このため、第一無菌室よりも施工範囲が狭くて済む。
【００１１】
ところが、送風ユニット８００が、二重の送風流路８０２ａ,８０２ｂを含むために大型化する傾向にある。このため、従来の無菌病室においては、送風ユニット８００が、無菌病室設置のために準備された既定のスペースのかなりを占有してしまい、室内として有効活用できるスペースが、第一無菌病室より狭くなることがある。
【００１２】
また、送風流路８０２ａ,８０２ｂの二重化によって流路抵抗が増加するため、送風機８０１が負荷増大する。さらに、送風流路８０２ａ,８０２ｂ内部の風速が、空気吹出し口７０２側の送風流路８０２ｂの末端に近づくほど小さくなり、空気吹出し口７０２からの吹出し風の流速(図８の符号Ｂ)が不均一になる。
【００１３】
そこで、本発明は、送風機から室内への騒音伝達を防止することができる新たな構造の送風ユニットを提供することを目的とする。また、送風機からの騒音伝達を防止することができる新たな構造の無菌病室を提供することを目的とする。
【００１４】
【課題を解決するための手段】
上記課題を解決するため、本発明は、
病室内に向けられるフィルタと、前記フィルタから前記病室内に風を吹き出させるための送風機とを有すると共に、前記フィルタと前記送風機との間から前記風の吹出し方向側に、該送風機からの空気及び前記病室内からの空気の流入を阻む隔壁で形成された吸音室を有することを特徴とする。
【００１５】
以下、本発明の実施の一形態について説明するが、そこで挙げる具体的な構成に含まれる事項は、可能な限りの組合せの自由度を有し、その組合せのいずれもが発明を構成するものとする。例えば、以下において、本発明の実施の一形態として挙げる構成の一部を適宜に削除した形態も、また、本発明の実施形態の１つである。
【００１６】
また、以下において具体的に示された構成に含まれる各事項は、いずれも、それと同じ機能を有する複数の事項を総括した上位概念に含まれる一下位概念である。したがって、いずれもが、機能において同一の他の構成によって代替することができ、また、それと同じ機能を有する総括的な手段として表現することもできる。
【００１７】
【発明の実施の形態】
以下、添付の図面を参照しながら、本発明に係る実施の一形態について説明をする。
まず、図１により、本実施の形態に係る無菌病室の構成について説明をする。
【００１８】
無菌病室２００を囲む三枚の壁面２０１のうち、一枚の壁面２０１Ａには、送風ユニット１００が設置されている。この送風ユニット１００は、無菌病室２００の壁面２０１Ａに沿った清浄空気吹出し面１０５から無菌病室２００内に清浄空気を放出するためのものである。患者用ベッド２０２は、患者頭部２０２ａを、この送風ユニット１００の清浄空気吹出し面１０３際にして設置されている。
【００１９】
さて、送風ユニット１００は、(１)患者頭部２０２ａ側の壁２００ａに沿った通風層Ａを形成する通風層形成壁１０２ａとその通風層Ａの一端側につながる送風機収納用ボックスを形成するボックス形成壁１０２ｂとが一体化されたケーシング１０２、(２)送風機収納用ボックス内に収納された送風機１０１、(３)ケーシング１０２に取り付けられたフィルタ(例えば、ＨＥＰＡフィルタ等)１０２、(４)送風機１０１とフィルタ１０３との間から、清浄空気の吹出し方向側に空洞(以下、吸音室と呼ぶ)Ｂを形成した隔壁１０４、(５)送風機収納用ボックスに取り付けられたプレフィルタ１０７、(６)通気層Ａ内部に設けられたサイレンサ１０６ａ,１０６ｂ、等を有している。
【００２０】
ケーシング１０２の通風層形成壁１０２ａには、通風層Ａから患者用ベッド２０２側に抜ける清浄空気吹出し口があけられている。フィルタ１０２は、この清浄空気吹出し口に取り付けられ、患者用ベッド２０２の患者頭部２０２ａ側から清浄空気を送り込むための清浄空気吹出し面１０５を形成している。そして、サイレンサー１０６ａ,１０６ｂは、通風層形成壁１０２ａの内側壁面(フィルタ１０３との対向面)と、通風層Ａへの空気吹込み口(隔壁１０４との対向面)とにそれぞれ設けられている。例えば、フィルタ１０３との対向面には、図２に示すようなサイレンサー１０６ａを設ければよい。
【００２１】
一方、ケーシング１０２のボックス形成壁１０２ｂには、送風機収納用ボックス内部から外部に抜ける空気吸い込み口があけられている。プレフィルタ１０７は、この空気吸い込み口に取り付けられ、送風機収納用ボックス内部に空気を導入するための空気吸込み面１０８を形成している。ケーシング１０２は、この空気吸込み面１０８が無菌病室の開放側に位置し、清浄空気吹出し面１０５が無菌病室の奥側に位置するように、無菌病室の壁２０１Ａに沿って設置される。
【００２２】
そして、ケーシング１０２の外壁面には、空気吸込み面１０８と清浄空気吹出し面１０５との間にアクセスカーテン(アクリル板等)２０３が取り付けられている。このアクセスカーテン２０３は、患者ベッド２０２の長さを超える位置まで患者ベッド２０２に沿うように、無菌病室２００の天井から床にかけて張られている。また、このアクセスカーテン２０３には、アクセスグローブ(不図示)およびヘッドポート２０３ａが取り付けられており、医師等は、これらヘッドポート２０３ａ等を使用することによって、空気吸込み面１０８側から、アクセスカーテン２０２を挟んで、清浄空気吹出し面１０５側にいる患者に対して治療を施すことができる。
【００２３】
このような構成の送風ユニット１００において、送風機１０１を駆動すると、送風機２０２からの風が、通風層Ａ内に導入され、フィルタ１０２を通過した後、清浄空気(ＪＩＳ規格 Ｂ ９９２０による清浄度クラス分類では、クラス５の空気、アメリカのＦＥＤ.ＳＴ.２０９Ｅ規格の清浄度クラス分類には、クラス１００の空気に相当)として清浄空気吹出し面１０５から放出される。これにより、医師等から見てアクセスカーテン７０４の向こう側のスペース(アクセスカーテン２０３を境にして、患者用ベッド２０２側のスペース：以下、患者ベッド側スペースと呼ぶ)には、患者頭部２０２ａ側から絶えず清浄空気が導入される。この清浄空気導入によって、患者用ベッド側スペースが、医師等が利用するスペースに対して陽圧に維持されるため、患者用ベッド側スペースへの汚染空気侵入を防止することができる。
【００２４】
このとき、通気層Ａ内部で風が発生させる摩擦音等の音響パワーは、通気層形成壁１０２ａの内壁面に設けられたサイレンサー１０６ａによって減衰する。また、送風機収納ボックスから通風層Ａへ吹き出す風が発生させる騒音の音響パワーは、通風層Ａへの吹込み口に設けられたサイレンサー１０６ｂによって減衰する。したがって、通気層が二重にされていなくても、清浄空気吹出し面１０５側から患者頭部２０２ａ側へ伝播する騒音を小さくすることができる。
【００２５】
また、駆動中の送風機１０１が発生させる騒音の音響パワーは、患者用ベッド２０２(特に、患者頭部２０２ａ)が配置されるべき領域と、送風機１０１との間に形成された吸音室Ｂにおいて減衰する。このため、送風機収納用ボックス側から患者頭部２０２ａ側に伝播する騒音が小さくなる。なお、送風機収納用ボックス側から患者頭部２０２ａ側に伝播する騒音をより効果的に抑制するには、多孔質の消音ボード等で隔壁１０４を形成するとよい。
【００２６】
このように、本実施の形態に係る送風ユニット１００の構造によれば、送風機１０１からの送風が発生させる騒音の音響パワーと、駆動中の送風機１０１が発生させる騒音の音響パワーとを減衰させることができる。なお、本実施の形態によれば、送風機、フィルタ、隔壁等を送風ユニットとして一体化しているが、必ずしもこのようにする必要はなく、例えば、送風機、フィルタ、隔壁等を、図１の送風ユニット１００と同様なレイアウトとなるように個々に病室内に配置するようにしてもよい。
【００２７】
ところで、無菌病室２００に収容された患者に対する治療には、酸素吸入等、患者への流体供給が必要となることが多い。また、各種測定器等、電動の医療用機器が必要となることも多い。したがって、無菌病室２００には、そのための設備を可能とする設備、例えば、治療用流体を患者に供給するための配管設備、医療用機器等に電源を供給するための配線設備があらかじめ設置されている必要がある。以下、そのような配管設備および配線設備を、図３に示すように吸音室Ｂ内部に収納する場合について説明する。
【００２８】
この場合、前述した構成の送風ユニット１００は、図４に示すように、その隔壁１０４のうち、患者頭部２０２ａ側の領域１０４ａが、他の領域よりも板厚の薄い板材(鋼鈑等)で形成されている。配管設備および配線設備を吸音室Ｂに収納する場合、配管先端を患者頭部２０２ａ側に導き出すための穴、コンセントを取り付けるための穴が、この領域１０４ａに形成される。
【００２９】
そして、隔壁内部の吸音室Ｂには、図５に示すように、患者に酸素等を供給するためのガスアウトレット配管５００、医療用機器等に電源を供給するためのための配線５０１等、が通される。具体的には、ガスアウトレット配管５００は、吸音室外部から吸音室Ｂ内に導き入れられ、その先端５００ａが、他の領域よりも薄く形成された領域１０４ａの穴から吸音室外部に導き出される。同様に、配線５０１も、吸音室外部から吸音室Ｂ内部に導き入れられ、その先端(不図示)が、他の領域よりも薄く形成された領域１０４ａの穴に取り付けられたコンセント等に接続される。
【００３０】
このように、本実施の形態に係る吸音室Ｂは、無菌病室で必要となる配管設備等の収納に有効利用することができる。このように、吸音室Ｂの内部スペースを収納に利用すれば、配管、配線等を露出させずに済むため、無菌病室内での医療活動がより行いやすくなる。
【００３１】
以上においては、吸音室Ｂ内部を空洞としてあるが、図６に示すように、ガラスウール、発泡ウレタン等の吸音材６００を吸音室Ｂ内に充填させてもよい。なお、吸音室Ｂの内部スペースを収納に利用する場合も、空き領域に吸音材をつめることは可能である。
【００３２】
【発明の効果】
本発明によれば、送風機から室内への騒音伝達を防止することができる新たな構造の送風ユニットが提供される。また、送風機からの騒音伝達を防止することができる新たな構造の無菌病室が提供される。
【図面の簡単な説明】
【図１】本発明の実施の一形態に係る無菌病室の室内構成を説明するための図である。
【図２】図１に示した送風ユニットの通風層部分の断面図である。
【図３】本発明の実施の一形態に係る無菌病室の室内構成を説明するための図である。
【図４】本発明の実施の一形態に係る無菌病室の室内構成を説明するための図である。
【図５】図３に示した送風ユニットの吸音室部分の断面図である。
【図６】本発明の実施の一形態に係る送風ユニットの吸音室部分の断面図である。
【図７】従来の無菌病室の室内構成および外部設備を説明するための図である。
【図８】従来の無菌病室の室内構成室を説明するための図である。
【符号の説明】
１００…送風ユニット
１０１…送風機
１０２…ケーシング(１０２ａ：ボックス形成壁、１０２ｂ：通風層形成壁)
１０３…フィルタ
１０４…吸音室Ｂを形成する隔壁
１０５…清浄空気吹出し面
１０６ａ,１０６ｂ…サイレンサー
１０７…プレフィルタ
１０８…空気吸込み面
２００…無菌病室
２０１…無菌病室の壁(２０１Ａ:送風ユニットの設置面)
２０２…患者用ベッド
２０３…アクセスカーテン
【図１】
0003970506.tif 000002
【図２】
0003970506.tif 000003
【図３】
0003970506.tif 000004
【図４】
0003970506.tif 000005
【図５】
0003970506.tif 000006
【図６】
0003970506.tif 000007
【図７】
0003970506.tif 000008
【図８】
0003970506.tif 000009